(57)【要約】【課題】ロック手段によるロックが不正に解除されてしまうのを防止することができ、防犯効果を高めることができる無線通信システムを提供する。【解決手段】車両固有の認証コードを無線通信可能な携帯機２と、認証コードが正規の認証コードか否か判定し得る判定手段６と、記判定手段６により認証コードが正規の認証コードであると判定された場合に、ソレノイドＬに通電してロックを解除し得るロック制御手段９とを具備した無線通信システムにおいて、判定手段６により認証コードが正規の認証コードであると判定された場合、ソレノイドＬを制御する制御信号と所定のＩＤコードとを送信し得る送信手段７と、送信手段７からのＩＤコードが予め設定されたＩＤコードと一致したことを条件として、ロック制御手段９によるソレノイドＬに対する通電を行わせる照合手段８とを具備したものである。【選択図】図８
2020090843.tif 000002
【特許請求の範囲】
【請求項１】
搭乗者が携帯可能とされ、車両固有の認証コードを無線通信可能な携帯機と、
前記認証コードが正規の認証コードか否か判定し得る判定手段と、
前記判定手段により前記認証コードが正規の認証コードであると判定された場合に、車両の走行を規制するロック手段に通電してロックを解除し得るロック制御手段と、
を具備した無線通信システムにおいて、
前記判定手段により前記認証コードが正規の認証コードであると判定された場合、前記ロック手段を制御する制御信号と所定のＩＤコードとを送信し得る送信手段と、
前記送信手段から送信された前記ＩＤコードが予め設定されたＩＤコードと一致するか否か照合するとともに、当該ＩＤコードが一致したことを条件として、前記ロック制御手段による前記ロック手段に対する通電を行わせる照合手段と、
を具備したことを特徴とする無線通信システム。
【請求項２】
前記判定手段及び送信手段が形成された主基板と、
前記ロック制御手段及び照合手段が形成された副基板と、
前記ロック手段が収容された収容空間を閉止する閉止手段と、
を有するとともに、前記副基板は、前記ロック手段と共に前記収容空間に収容されたことを特徴とする請求項１記載の無線通信システム。
【請求項３】
前記送信手段で送信される前記ＩＤコードは、車両固有のコードから成ることを特徴とする請求項１又は請求項２記載の無線通信システム。
【請求項４】
前記ロック手段は、車両のステアリングロック又はイグニッションスイッチの操作をロックするためのアクチュエータから成ることを特徴とする請求項１〜３の何れか１つに記載の無線通信システム。
【発明の詳細な説明】
【技術分野】
【０００１】
本発明は、認証コードが正規の認証コードであると判定された場合に、車両の走行を規制するロック手段に通電してロックを解除し得る無線通信システムに関するものである。
【背景技術】
【０００２】
搭乗者が携帯するとともに車両固有の認証コードを電波にて送信し得る携帯機と、認証コードが正規の認証コードか否か判定し得る判定手段とを具備し、携帯機から無線送信された認証コードが正規の認証コードである場合に限り、車両の各種ロックの解除、及び駆動源の始動を許可し得る無線通信システム（所謂、スマートキーシステム）が普及している。このような無線通信システムは、車両側に配設されたアクセスボタンを押圧操作すると、アクセス信号が低周波にて無線送信され、そのアクセス信号を受信した携帯機が高周波にて認証コードを無線送信するとともに、当該認証コードが車両側にて受信されると、当該認証コードが正規の認証コードであるか否か判定し得るよう構成されている。
【０００３】
従来、例えばイグニッションスイッチの操作をロックし得るロック手段を具備するとともに、判定手段により正規の認証コードであると判定された場合、当該ロック手段によるロックを解除することができるものが提案されている（特許文献１参照）。かかるロック手段は、ソレノイドから成り、判定手段により認証コードが正規の認証コードであると判定されることを条件として通電され、プランジャが作動することによりロックが解除される。そして、ロックが解除されると、イグニッションスイッチを操作可能とされるので、ステアリングロックの解除や車両のエンジン始動を可能とすることができる。
【先行技術文献】
【特許文献】
【０００４】
【特許文献１】特開２００７−１５３２５９号公報
【発明の概要】
【発明が解決しようとする課題】
【０００５】
しかしながら、従来の無線通信システムにおいては、不正行為を意図した第三者によって、判定手段が形成された基板とロック手段との間の配線が切断され、ロック手段に対して通電された場合、ロック手段によるロックが不正に解除されてしまう虞がある。この場合、ステアリングロック等が解除されて車両が盗難される虞があるため、有効的な対策が求められていた。
【０００６】
本発明は、このような事情に鑑みてなされたもので、ロック手段によるロックが不正に解除されてしまうのを防止することができ、防犯効果を高めることができる無線通信システムを提供することにある。
【課題を解決するための手段】
【０００７】
請求項１記載の発明は、搭乗者が携帯可能とされ、車両固有の認証コードを無線通信可能な携帯機と、前記認証コードが正規の認証コードか否か判定し得る判定手段と、前記判定手段により前記認証コードが正規の認証コードであると判定された場合に、車両の走行を規制するロック手段に通電してロックを解除し得るロック制御手段とを具備した無線通信システムにおいて、前記判定手段により前記認証コードが正規の認証コードであると判定された場合、前記ロック手段を制御する制御信号と所定のＩＤコードとを送信し得る送信手段と、前記送信手段から送信された前記ＩＤコードが予め設定されたＩＤコードと一致するか否か照合するとともに、当該ＩＤコードが一致したことを条件として、前記ロック制御手段による前記ロック手段に対する通電を行わせる照合手段とを具備したことを特徴とする。
【０００８】
請求項２記載の発明は、請求項１記載の無線通信システムにおいて、前記判定手段及び送信手段が形成された主基板と、前記ロック制御手段及び照合手段が形成された副基板と、前記ロック手段が収容された収容空間を閉止する閉止手段とを有するとともに、前記副基板は、前記ロック手段と共に前記収容空間に収容されたことを特徴とする。
【０００９】
請求項３記載の発明は、請求項１又は請求項２記載の無線通信システムにおいて、前記送信手段で送信される前記ＩＤコードは、車両固有のコードから成ることを特徴とする。
【００１０】
請求項４記載の発明は、請求項１〜３の何れか１つに記載の無線通信システムにおいて、前記ロック手段は、車両のステアリングロック又はイグニッションスイッチの操作をロックするためのアクチュエータから成ることを特徴とする。
【発明の効果】
【００１１】
請求項１の発明によれば、判定手段により認証コードが正規の認証コードであると判定された場合、ロック手段を制御する制御信号と所定のＩＤコードとを送信し得る送信手段と、送信手段から送信されたＩＤコードが予め設定されたＩＤコードと一致するか否か照合するとともに、当該ＩＤコードが一致したことを条件として、ロック制御手段によるロック手段に対する通電を行わせる照合手段とを具備したので、ロック手段によるロックが不正に解除されてしまうのを防止することができ、防犯効果を高めることができる。
【００１２】
請求項２の発明によれば、判定手段及び送信手段が形成された主基板と、ロック制御手段及び照合手段が形成された副基板と、ロック手段が収容された収容空間を閉止する閉止手段とを有するとともに、副基板は、ロック手段と共に収容空間に収容されたので、閉止手段による閉止を強固にすることによりロック手段及び照合手段に対する不正行為を防止することができる。
【００１３】
請求項３の発明によれば、送信手段で送信されるＩＤコードは、車両固有のコードから成るので、複数の車両で同一のＩＤコードを用いるものに比べ、防犯性をより一層向上させることができる。
【００１４】
請求項４の発明によれば、前記ロック手段は、車両のステアリングロック又はイグニッションスイッチの操作をロックするためのアクチュエータから成るので、ロック手段によるロックを解除することにより、車両のステアリングロックの解除又はエンジン始動を可能とすることができる。
【図面の簡単な説明】
【００１５】
【図１】本発明の実施形態に係る無線通信システムの車載ユニットを示す斜視図
【図２】同車載ユニットを示す正面図
【図３】同車載ユニットを示す背面図
【図４】同車載ユニットにおける主基板の配設状態を示す模式図
【図５】同車載ユニットを示す縦断面図
【図６】同車載ユニットを示す縦断面図（図５の９０度ずれた位置での断面）
【図７】同車載ユニットにおける収容空間に収容された状態の副基板及びロック手段を示す模式図
【図８】同車載ユニット及び携帯機で構成される無線通信システムを示すブロック図
【図９】同無線通信システムにおける照合手段の制御内容を示すフローチャート
【発明を実施するための形態】
【００１６】
以下、本発明の実施形態について図面を参照しながら具体的に説明する。
本実施形態に係る無線通信システムは、認証コードが正規の認証コードであると判定された場合に、車両の走行を規制するロック手段に通電してロックを解除し得る所謂スマートキーシステムを構成するもので、図１〜８に示すように、二輪車等の車両に搭載された車載ユニット１と、搭乗者が携帯可能とされた携帯機２（電子キー）とを有して構成されている。
【００１７】
携帯機２は、運転者等の搭乗者が携帯可能とされ、車載ユニット１からのアクセス信号を受信したことを条件として、車両固有の認証コードを無線送信可能なもので、車載ユニット１からのアクセス信号（低周波信号）を無線受信し得る低周波アンテナや車載ユニット１に認証コード（高周波信号）を無線送信し得る高周波アンテナ、電池等を有して構成されている。
【００１８】
車載ユニット１は、車両（本実施形態においては二輪車の車体）に搭載されるもので、図１〜３に示すように、運転者等の搭乗者が任意に操作可能な操作ノブＮと、操作ノブＮの押圧操作によってスイッチオン可能なアクセススイッチ３と、携帯機２に対してアクセス信号（低周波信号）を発信可能な発信手段４と、携帯機２からの認証コード（高周波信号）を受信可能な受信手段５と、認証コードが正規の認証コードか否か判定し得る判定手段６と、制御信号及び所定のＩＤコードを送信し得る送信手段７とを有して構成されている。
【００１９】
そして、操作ノブＮを押圧操作して操作部Ｎａがアクセススイッチ３を操作することによりスイッチオンすると、発信手段４からアクセス信号が発信されるとともに、携帯機２からの認証コードを受信手段５により受信し、その受信した認証コードが車両固有の正規の認証コードであるか否か判定手段６にて判定される。本実施形態においては、発信手段４、判定手段６、受信手段５及び送信手段７がプリント基板等の主基板Ｋ１に形成されており、かかる主基板Ｋ１は、図４に示すように、車載ユニット１の収容部Ｆ１に収容されている。
【００２０】
送信手段７は、判定手段６により認証コードが正規の認証コードであると判定された場合、ソレノイドＬ（ロック手段）を制御する制御信号と所定のＩＤコードとを送信し得るもので、配線ｈにより照合手段８と接続されている。配線ｈは、車両に搭載されたバッテリＢからソレノイドＬに電力供給するための配線と、制御信号及び所定のＩＤコードを送信するための配線とを有している。
【００２１】
さらに、本実施形態に係る車載ユニット１には、図５〜８に示すように、照合手段８及びロック制御手段９が形成された副基板Ｋ２と、ロック手段としてのソレノイドＬと、ステアリングロックバーＲと、操作ノブＮの回転操作により回転するロータｎ１と、ロータｎ１と連結して回転可能とされるとともにステアリングロックバーＲと連結されたカム部材ｎ２と、ロータｎ１及びカム部材ｎ２の回転によりエンジンを始動可能とするイグニッションスイッチＧとが配設されている。
【００２２】
ステアリングロックバーＲは、車両のハンドルバーに形成されたロック孔（不図示）に挿入して当該ハンドルバーをロックするロック位置と、当該ロック孔から後退してハンドルバーのロックを解除するアンロック位置との間を移動可能とされている。そして、操作ノブＮを所定位置まで回転操作すると、ロータｎ１と共にカム部材ｎ２が回転し、ステアリングロックバーＲをロック位置とアンロック位置との間で移動可能とされている。なお、操作ノブＮを他の所定位置まで回転操作すると、ロータｎ１及びカム部材ｎ２が回転し、イグニッションスイッチＧをオンして車両のエンジンを始動可能とされている。
【００２３】
ソレノイドＬは、車両の走行を規制するロック手段を構成するもので、図６に示すように、送信手段７から送信された制御信号に基づいてロック制御手段９にて制御可能なアクチュエータから成り、プランジャＬａを有して構成されている。かかるプランジャＬａは、カム部材ｎ２に形成された係止部ｎ２ａに係止した係止位置（同図で示される位置）と、係止部ｎ２ａから離間した非係止位置との間を移動可能とされており、ロック制御手段９を介して車両に搭載されたバッテリＢと電気的に接続可能とされている。
【００２４】
これにより、ソレノイドＬは、そのプランジャＬａが係止位置にあるとき、ロータｎ１及びｎ２の回転を規制して操作ノブＮの回転操作をロックし、ステアリングロックバーＲのアンロック位置への操作及びイグニッションスイッチＧのオン操作を規制することができる。すなわち、ソレノイドＬ（ロック手段）は、車両のステアリングロック又はイグニッションスイッチの操作をロックするためのアクチュエータから成るので、ソレノイドＬによるロックを解除することにより、車両のステアリングロックの解除を可能とするとともに、エンジン始動を可能とすることができる。
【００２５】
照合手段８は、配線ｈを介して送信手段７と電気的に接続されたもので、送信手段４から送信されたＩＤコードが予め設定されたＩＤコードと一致するか否か照合するとともに、当該ＩＤコードが一致したことを条件として、ロック制御手段９によるソレノイドＬ（ロック手段）に対する通電を行わせるものである。本実施形態に係る送信手段７から送信されるＩＤコードは、車両固有のコードから成るもので、認証コードと相違するもの、或いは認証コードと同一のものであってもよい。なお、ＩＤコードを車両固有のコードでないものとしてもよい。
【００２６】
ロック制御手段９は、ソレノイドＬ（ロック手段）と電気的に接続されたもので、判定手段６により認証コードが正規の認証コードであると判定された場合に、車両の走行を規制するソレノイドＬ（ロック手段）に通電してロックを解除し得るものである。すなわち、ロック制御手段９は、送信手段７及び照合手段８を介して判定手段６と接続されており、判定手段６にて正規の認証コードであると判定された条件に加えて、送信手段７から送信されたＩＤコードが照合手段８にて予め設定されたＩＤコードと一致したことを条件として、ソレノイドＬに対して通電してロックを解除させるようになっている。
【００２７】
さらに、本実施形態に係る照合手段８及びロック制御手段９は、プリント基板等の副基板Ｋ２に形成されており、かかる副基板Ｋ２及びソレノイドＬは、図７に示すように、車載ユニット１の収容部Ｆ２の収容空間Ｓに収容されている。すなわち、副基板Ｋ２は、ソレノイドＬと共に収容空間Ｓに収容されているのである。この収容部Ｆ２における収容空間Ｓは、ダイカスト等から成るカバー部材Ｃ（閉止手段）にて強固に閉止されており、第三者によるカバー部材Ｃの取り外しが困難とされている。
【００２８】
次に、本実施形態に係る照合手段８による制御について、図９のフローチャートに基づいて説明する。
先ず、Ｓ１にて送信手段７からＩＤコードを受信したか否か判定され、ＩＤコードを受信したと判定されると、Ｓ２に進み、その受信したＩＤコードが予め設定されたＩＤコードと一致するか否か判定（照合）される。そして、Ｓ２にてＩＤコードが一致したと判定（照合）されると、Ｓ３に進み、通電を許可する信号をロック制御手段９に送信するので、ソレノイドＬに対する通電が行われてロックが解除されることとなる。
【００２９】
一方、Ｓ１にてＩＤコードを受信しない場合、及びＳ２にてＩＤコードが一致しない場合は、何れも通電を許可する信号が送信されないので、ソレノイドＬに対する通電が行われずロックが解除されない。したがって、例えば配線ｈが第三者によって切断され、ソレノイドＬに対して別個の電源を接続してロックを解除しようとしても、ＩＤコードの送信及び一致がないので、不正なロック解除が行われてしまうのを防止することができる。
【００３０】
本実施形態によれば、判定手段６により認証コードが正規の認証コードであると判定された場合、ロック制御手段９を制御する制御信号と所定のＩＤコードとを送信し得る送信手段７と、送信手段７から送信されたＩＤコードが予め設定されたＩＤコードと一致するか否か照合するとともに、当該ＩＤコードが一致したことを条件として、ロック制御手段９によるソレノイドＬ（ロック手段）に対する通電を行わせる照合手段８とを具備したので、ソレノイドＬ（ロック手段）によるロックが不正に解除されてしまうのを防止することができ、防犯効果を高めることができる。
【００３１】
また、判定手段６及び送信手段７が形成された主基板Ｋ１と、ロック制御手段９及び照合手段８が形成された副基板Ｋ２と、ソレノイドＬ（ロック手段）が収容された収容空間Ｓを閉止するカバー部材Ｃ（閉止手段）とを有するとともに、副基板Ｋ２は、ソレノイドＬ（ロック手段）と共に収容空間Ｓに収容されたので、カバー部材Ｃ（閉止手段）による閉止を強固にすることによりソレノイドＬ（ロック手段）及び照合手段８に対する不正行為を防止することができる。
【００３２】
さらに、送信手段７で送信されるＩＤコードは、車両固有のコードから成るので、複数の車両で同一のＩＤコードを用いるものに比べ、防犯性をより一層向上させることができる。またさらに、本実施形態に係るソレノイドＬ（ロック手段）は、車両のステアリングロック又はイグニッションスイッチの操作をロックするためのアクチュエータから成るので、ソレノイドＬ（ロック手段）によるロックを解除することにより、車両のステアリングロックの解除又はエンジン始動を可能とすることができる。
【００３３】
以上、本実施形態について説明したが、本発明はこれに限定されるものではなく、例えばロック手段は、ソレノイドＬに限定されず、車両の走行を規制する他の形態のアクチュエータ（モータ等）であってもよい。また、本実施形態に係るロック手段（ソレノイドＬ）は、車両のステアリングロック又はイグニッションスイッチの操作をロックするためのアクチュエータとされているが、車両の走行を規制する他の操作をロックするものであってもよい。なお、本実施形態においては、二輪車に適用されているが、ＡＴＶ、スノーモービル、建機若しくは農機、さらには自動車等、他の車両に適用するようにしてもよい。
【産業上の利用可能性】
【００３４】
判定手段により認証コードが正規の認証コードであると判定された場合、ロック制御手段を制御する制御信号と所定のＩＤコードとを送信し得る送信手段と、送信手段から送信されたＩＤコードが予め設定されたＩＤコードと一致するか否か照合するとともに、当該ＩＤコードが一致したことを条件として、ロック制御手段によるロック手段に対する通電を行わせる照合手段とを具備した無線通信システムであれば、外観形状が異なるもの或いは他の機能が付加されたもの等であってもよい。
【符号の説明】
【００３５】
１  車載ユニット
２  携帯機
３  アクセススイッチ
４  送信手段
５  受信手段
６  判定手段
７  送信手段
８  照合手段
９  ロック制御手段
Ｎ  操作ノブ
Ｌ  ソレノイド（ロック手段）
Ｌａ  プランジャ
Ｃ  カバー部材（閉止手段）
Ｒ  ステアリングロックバー
Ｋ１  主基板
Ｋ２  副基板
Ｓ  収容空間
Ｆ１  収容部
Ｆ２  収容部
【図１】
2020090843.tif 000003
【図２】
2020090843.tif 000004
【図３】
2020090843.tif 000005
【図４】
2020090843.tif 000006
【図５】
2020090843.tif 000007
【図６】
2020090843.tif 000008
【図７】
2020090843.tif 000009
【図８】
2020090843.tif 000010
【図９】
2020090843.tif 000011